(57)【要約】      （修正有）【課題】軽い洗濯物は容易に着脱でき、重い洗濯物を干してもずり落ちることなく、容易に吊り下げできる洗濯ばさみを備えた洗濯物ハンガーの提供。【解決手段】吊り紐６がフレーム７の上部を迂回して洗濯ばさみ１を２点吊り用吊り紐５−ａ、５−ｂを介して吊り下げた状態である。このとき、１点吊り用吊り紐２はフレームの下側から垂れているので、洗濯ばさみ吊り下げには寄与していない。したがって、洗濯物３は、２点吊りのため弱い引っ張り力で取り外すことができる。ここで、洗濯物が重く、２点吊りではずり落ちそうな場合、洗濯ばさみ１を、矢印８に示すように、フレーム７の上を越して反対側に移動させると、１点吊り用の紐２が、洗濯ばさみ１を吊り下げ、２点吊り用の紐６およぼび５−ａ、５−ｂは洗濯ばさみ吊り下げに寄与しない。したがって洗濯物３は重くてもずり落ちる心配は無い。【選択図】図５
2006204867.tif 000002
【特許請求の範囲】
【請求項１】
一対の挟み用個片とそれを固定するばねからなる洗濯ばさみに対し、双方の個片のつまみ部を同時に吊り上げる２点吊り方式（以下方式１とする）と、洗濯ばさみのどこか１箇所のみを吊り上げる１点吊り方式（以下方式２とする）のいずれの方式でも吊り上げられるように、２通りの吊り紐（またはチェーン）が取り付けられており、その吊り紐の他端は、洗濯物ハンガーのフレームに繋がっているが、その繋がり方が、方式１の吊り紐がフレームーから直接下にぶら下がっている時は、方式２の吊り紐はハンガーの上を迂回してぶら下がり、方式２の吊り紐がハンガーから直接下にぶら下がっている時は、方式１の吊り紐はハンガーの上を迂回してぶら下がるように、吊り紐が配置されており、かつ双方の吊り紐の長さが、ハンガーの上を迂回した方の吊り紐のみが洗濯ばさみおよびそれが把持した洗濯物の加重を担うように調節された洗濯ばさみが、２個以上取り付けられており、それ以外の洗濯ばさみは、方式１の方法で取り付けられた、洗濯物ハンガー。
【発明の詳細な説明】
【技術分野】
【０００１】  本発明は、洗濯した衣類を乾燥させるために吊るした後、乾燥後、ワンタッチで容易に取り外すことが可能な洗濯物ハンガーに関するものである。
【背景技術】
【０００２】  従来の洗濯物ハンガーには、図２に示すような１点吊りタイプの洗濯ばさみが取り付けられている。図２において１は洗濯ばさみ、２は吊り紐（またはくさり）、３は洗濯物である。
【発明の開示】
【発明が解決しようとする課題】
【０００３】  このような洗濯物ハンガーでは、洗濯物を干して取り入れるとき、洗濯ばさみの把持力が強いので、洗濯物を引っ張って簡単に取り外すことは難しい。仮にそれができても、無理な力で引っ張ることになるので、布地を傷めやすい。【０００４】  洗濯物取り外し力を弱める方法としては、図３に示すように、洗濯ばさみの両方の摘み部４−ａ、４−ｂに吊り紐（またはくさり）５−ａ、５−ｂを付け、それらを同時に吊り紐６で引っ張る、２点吊り方式が既に知られている。【０００５】  しかし、このような２点吊り方式ばかりをハンガーに採用すると、大抵の場合、洗濯物は容易に着脱できるが、稀にズボンやセーターのような重い物を干す場合、洗濯ばさみからずり落ちてしまうことがある。水を含んだ乾燥前の状態ではなおさらである。【０００６】  ずり落ち防止の簡単な対策としては、大半の洗濯ばさみを２点吊り方式にし、一部を１点吊り方式にすることが考えられるが、これでは、重い洗濯物が無い場合には、１点吊り方式の洗濯ばさみは、取り外しが容易でないため、初期の効果が期待できない。【０００７】  本発明はかかる欠点を排除し、軽い洗濯物はいずれの洗濯ばさみを用いても容易に着脱でき、重い物に対しては、特定の洗濯ばさみにワンタッチを施すだけで、ずり落ちることなく、容易に吊り下げることができるようにしたものである。【０００８】  類似の方法としては、次の特許文献があるが、
【特許文献１】  特開平８−２０６３９５号公報
これは、１点吊りと２点吊りを共用にした洗濯ばさみ全てを同時に吊り上げて、２点吊りを１点吊りに変える方式なので、吊り上げに力を要するのみならず、１点吊り用と２点吊り用の２つのフレームが必要なので、構造が複雑で、実用上問題がある。
【課題を解決するための手段】
【０００９】  本発明では、目的を具体化させるために、一部の洗濯ばさみに対し、１点吊りと２点吊りの両方の吊り紐を取り付け、必要に応じ、そのいずれかの方式を簡単に選択できるようにしたものである。なおここで吊り具の代表として紐を用いているが、くさり、テープなど、加重に耐えられる柔軟性を有する細い物ならでも何でも良い。【００１０】  吊り紐の、洗濯物ハンガーのフレームへの取り付け方としては、１点吊りの紐がフレームから直接垂れ下がって洗濯ばさみに繋がっているときには、２点吊りの紐がフレームの上を迂回して洗濯ばさみに繋がるようにしておく。また、２点吊りの紐がフレームから直接垂れ下がって洗濯ばさみに繋がっているときには、１点吊りの紐がフレームの上を迂回して洗濯ばさみに繋がるようにしておく。そして、双方の紐の長さを相互に調節し、フレームの上を迂回した紐のみが洗濯ばさみを吊り下げ、他はただ垂れ下がって洗濯ばさみに繋がっているのみの状態にしておく。
【発明の効果】
【００１１】  このような洗濯ばさみをハンガーの相対する２箇所に設置しておくと、軽い洗濯物に対しては、２点吊りで干すことにより、乾燥後引っ張るのみで、容易に取り外すことができる。また洗濯物が重い場合には１点吊りを選ぶことにより、洗濯物の乾燥中のずり落ちを心配することなく、干すことができる。
【発明を実施するための最良の形態】
【００１２】  以下、本発明の実施の形態を、図１および図４〜図６の実施例を用いて説明する。【００１３】  図４は１点吊りと２点吊りの両方の吊り方ができる洗濯ばさみの例で、洗濯ばさみには、２点吊り方式の吊り紐５−ａ，５−ｂと、それらを同時に吊り上げる吊り紐６とともに、１点吊り方式の吊り紐２が取り付けられている。【００１４】  今この洗濯ばさみを洗濯物ハンガーに取り付けるにあたり、一方の吊り紐をハンガーのフレームから直接垂らし、他方をハンガーのフレームの上部を迂回して垂らすようにし、双方の吊り具の長さを相互に調節して、フレームの上部を迂回した方が洗濯ばさみを吊り下げ、他方は、垂れた状態で洗濯ばさみとフレームとを繋いでいるようにしておく。【００１５】  図５は、吊り紐６がフレーム７の上部を迂回して洗濯ばさみ１を２点吊り用吊り紐５−ａ、５−ｂを介して吊り下げた状態である。このとき、１点吊り用吊り紐２はフレームの下側から垂れているので、洗濯ばさみ吊り下げには寄与していない。したがって、洗濯物３は、２点吊りのため弱い引っ張り力で取り外すことができる。【００１６】  ここで、洗濯物が重く、２点吊りではずり落ちそうな場合、洗濯ばさみ１を、図５の矢印８に示すように、フレーム７の上を越して反対側に移動させると、今度は、図６に示すように、１点吊り用の紐２が、選択ばさみ１を吊り下げ、２点吊り用の紐６およぼび５−ａ、５−ｂは洗濯ばさみ吊り下げに寄与しない。したがって洗濯物３は重くてもずり落ちる心配は無い。【００１７】  図１は上記の１点吊りと２点吊りを選択できるようにした洗濯ばさみを、対になるようにしてフレームのところどころに取り付けた洗濯物ハンガーの例である。【００１８】  図１において、１２は単純な２点吊り用の洗濯ばさみ、９、１０は１点吊り、２点吊り両用の洗濯ばさみで、ここでは通常の洗濯ばさみ１２の識別を容易にするため、１２は別の色が付けられている。なお、この図１では、洗濯ばさみ９はフレーム７の上を迂回した吊り紐６によって吊り下げられているので、軽い洗濯物を干す時に対応している。一方、選択ばさみ１０はフレーム７を迂回した１点吊り用紐２によって吊り下げられているので、重い洗濯物を干すときの用意ができている。いま、洗濯ばさみ１０に吊るす洗濯物が軽い場合には、選択ばさみ１０を、矢印１１の方向にフレーム７を越して移動させると、着脱容易な状態で軽い洗濯ものが吊り下げられることになる。なおここで、１点吊り用の紐のみを他の紐と別の色にしておくと、フレームの上を迂回した紐の色を見ただけで、その洗濯ばさみが１点吊り状態にあるか、２点吊り状態にあるか容易に識別できる。【００１９】  図１において、単純な２点吊りのみの洗濯ばさみ１２多く取り付けられているが、一般家庭での洗濯物は軽いものが殆どなので、このように数ペアの１、２点両用の洗濯ばさみを取り付けておくのみで、十分対応できる。
【図面の簡単な説明】
【００２０】
【図１】  本発明の洗濯物ハンガー全体の仕組みが分かるようにした図である。
【図２】  従来の１点吊りタイプの洗濯ばさみの例である。
【図３】  ２点吊りタイプの洗濯ばさみの例である。
【図４】  １点吊り、２点吊り両用の洗濯ばさみの例である。
【図５】  図４の洗濯ばさみを２点吊り方式で用いる時の例である。
【図６】  図４の洗濯ばさみを１点吊り方式で用いる時の例である。
【符号の説明】
【００２１】  １  洗濯ばさみ
２  吊り紐
３  洗濯物
４  洗濯ばさみのつまみ部
５−ａ、５−ｂ  ２点吊り用紐
６  ２本の２点吊り用紐を同時に吊る紐
７  フレーム
８  ２点吊りから１点吊りに変更時の洗濯ばさみ移動方向
９  ２点吊りで使用できる状態にある１点または２点吊り用洗濯ばさみ
１０  １点吊りで使用できる状態にある１点または２点吊り用洗濯ばさみ
１１  １点吊りから２点吊りに変更時の洗濯ばさみ移動方向
１２  ２点吊り洗濯ばさみ
【図１】
2006204867.tif 000003
【図２】
2006204867.tif 000004
【図３】
2006204867.tif 000005
【図４】
2006204867.tif 000006
【図５】
2006204867.tif 000007
【図６】
2006204867.tif 000008
【手続補正書】
【提出日】平成17年3月9日(2005.3.9)
【手続補正１】
【補正対象書類名】特許請求の範囲
【補正対象項目名】請求項１
【補正方法】変更
【補正の内容】
【請求項１】
一対の挟み用個片とそれを固定するばねからなる洗濯ばさみに対し、双方の個片のつまみ部を同時に吊り上げる２点吊り方式（以下方式１とする）と、洗濯ばさみのどこか１箇所のみを吊り上げる１点吊り方式（以下方式２とする）のいずれの方式でも吊り上げられるように、２通りの吊り紐（またはチェーン）が取り付けられており、その吊り紐の他端は、洗濯物ハンガーのフレームに繋がっているが、その繋がり方が、方式１の吊り紐がフレームーから直接下にぶら下がっている時は、方式２の吊り紐はフレームの上を迂回してぶら下がり、方式２の吊り紐がフレームから直接下にぶら下がっている時は、方式１の吊り紐はフレームの上を迂回してぶら下がるように、吊り紐が配置されており、かつ双方の吊り紐の長さが、ハンガーの上を迂回した方の吊り紐のみが洗濯ばさみおよびそれが把持した洗濯物の加重を担うように調節された洗濯ばさみが、２個以上取り付けられており、それ以外の洗濯ばさみは、方式１の方法で取り付けられた、洗濯物ハンガー。